(57)【特許請求の範囲】
【請求項１】
公営競技に関する情報処理を行う公営競技情報処理システムにおいて、
発券可能な投票券に関する情報を記憶し、前記投票券の発券許可を通知するホストコンピュータと、
投票券の発券要求を受け付けて前記ホストコンピュータに前記投票券の発券可否を問い合わせて前記発券許可通知を受けると、発券手段から前記投票券を発券させると共に前記投票券の発券履歴情報を発券履歴情報記録手段に記録する第１の公営競技取引装置と、
前記第１の公営競技取引装置との通信を実行する装置間通信制御手段と、既に発券された投票券の取り消し要求を受け付けると、前記装置間通信制御手段で前記第１の公営競技取引装置から取得した前記発券履歴情報に、既に発券された前記投票券の有無を判定する判定手段とを有する第２の公営競技取引装置と、
を備えることを特徴とする公営競技情報処理システム。
【請求項２】
前記第２の公営競技取引装置は、
前記判定手段が既に発券された前記投票券が前記発券履歴情報内に有ると判定した場合に、既に発券された前記投票券の取り消し要求を前記ホストコンピュータに通知する取り消し制御手段をさらに有する、
ことを特徴とする請求項１記載の公営競技情報処理システム。
【請求項３】
前記第１の公営競技取引装置は、当たり投票券に応じた配当金を払い戻す払い戻し手段をさらに有し、
前記取り消し制御手段は、前記ホストコンピュータから既に発券された前記投票券の取り消し完了が通知されると、取り消された前記投票券の購入金の返金要求を前記第１の公営競技取引装置に通知して、前記払い戻し手段から当該購入金を返金させる、
ことを特徴とする請求項２記載の公営競技情報処理システム。
【請求項４】
前記取り消し制御手段は、前記ホストコンピュータから取得した公営競技の競技情報に基づき、既に発券された前記投票券で投票された競技の取り消し締め切り前に、既に発券された前記投票券の取り消し要求が受け付けられているかを判定する、
ことを特徴とする請求項２記載の公営競技情報処理システム。
【請求項５】
前記取り消し制御手段は、既に発券された前記投票券が有する会場情報に基づき、既に発券された前記投票券が前記第１の公営競技取引装置から発券されているかを判定する、
ことを特徴とする請求項２記載の公営競技情報処理システム。
【請求項６】
公営競技に関する取引を行う公営競技取引装置において、
発券可能な投票券に関する情報を記憶したホストコンピュータから前記投票券の発券許可通知を受けて前記投票券を発券させると共に前記投票券の発券履歴情報を記録する別の公営競技取引装置との通信を実行する装置間通信制御手段と、
既に発券された投票券の取り消し要求を受け付けると、前記装置間通信制御手段で前記別の公営競技取引装置から取得した前記発券履歴情報に、既に発券された前記投票券の有無を判定する判定手段と、
を有することを特徴とする公営競技取引装置。
【請求項７】
前記判定手段が既に発券された前記投票券が前記発券履歴情報に有ると判定した場合に、既に発券された前記投票券の取り消し要求を前記ホストコンピュータに通知する取り消し制御手段をさらに有することを特徴とする請求項６記載の公営競技取引装置。
【発明の詳細な説明】
【技術分野】
【０００１】
公営競技情報処理システム及び公営競技取引装置に関する。
【背景技術】
【０００２】
競馬（中央競馬・地方競馬）、競輪、競艇、オートレースといった公営競技では、各競技に対する投票券の発券、投票の受け付け、当たり投票券の配当金の配当等が公営競技情報処理システムで実行される。このような公営競技情報処理システムは、ホストコンピュータと、当該ホストコンピュータと通信可能な公営競技取引装置（トータリゼータ装置）とで構成されている（例えば、特許文献１参照）。
【０００３】
ホストコンピュータは、公営競技の種類ごとに設けられ、複数の公営競技取引装置がインターネット等のネットワークを介して通信可能に接続されている。このようなホストコンピュータは、公営競技の各競技に対する競技情報、投票の受け付け及び投票券の発券等の管理を行う。
【０００４】
公営競技取引装置は、公営競技の投票会場に設置され、ホストコンピュータから受信する公営競技の各競技に関する情報を表示して、投票を行うファン（投票者）またはオペレータ等の操作を行う者による操作入力を受け付けて所定の処理を実行する。例えば、公営競技取引装置は、当該操作入力に応じて投票券の発券を実行する場合には、ホストコンピュータに当該投票券の発券確認を通知する。発券確認が通知されたホストコンピュータは、対象となる投票券の識別情報（例えば、シリアルナンバー）を発券履歴として記憶して発券許可を公営競技取引装置に通知する。公営競技取引装置は発券許可が通知されると、許可された投票券を発券する。
【０００５】
このような公営競技取引装置には、公営競技に対して投票を行う投票者により操作が行われる装置（以後、これを「自動機」と称する）と、投票者からの依頼等に応じてオペレータにより操作が行われる装置（以後、これを「有人機」と称する）と、の２種が存在する。また、自動機及び有人機のその他の主な違いとして、自動機は現金の取り扱いを機械が計数するが、有人機はオペレータが手作業で計数する必要がある点がある。
【０００６】
ところで、投票者が自動機で誤って投票券（例えば、投票カードへの誤記入による意図しない投票券）を購入した場合には、当該投票者は窓口に申し出て当該投票券の減算（取り消し）の依頼をオペレータに行う必要がある。なお、通常、自動機には、当該投票券の取り消し処理を行う機能が設けられていない。これは、投票者が払い戻しのつもりで間違って取り消ししてしまった場合の機会損失を防止するためである。
【０００７】
取り消し処理を依頼されたオペレータは次の作業並びに処理を行わなくてはならない。
まず、オペレータは、当該投票券が間違いなく自動機で発券されたか否かを確認する必要がある。この確認は、オペレータが各投票券に付されたシリアルナンバー等に基づき当該投票券を発行したとされる自動機に出向き、自動機内に備えられた、発券ごとに発券情報が印字されたレシートの発券履歴の中から目視により当該シリアルナンバーを見つけ出す作業が行われる。
【０００８】
オペレータは、当該投票券が自動機から間違いなく発券されていることが確認できると、有人機からホストコンピュータに当該投票券の取り消し処理依頼を通知させることで取り消し処理を行うことができる。オペレータは、取り消した投票券に対応する金額を有人機用の資金から手作業で計数して、投票者に返金する。
【０００９】
なお、有人機用の資金は、所定の時期に、公営競技の資金の管理場所に返却する納金と呼ばれる作業が行われる。当該納金では、有人機用の資金として配給された金額（Ｍａ）、減算に伴って投票者に返金した金額（Ｍｂ）、現在手元にある金額（Ｍｃ）及び納金金額（Ｍｄ）とすると、Ｍｄ＝Ｍｃ＝Ｍａ−Ｍｂであることが確認される。
【先行技術文献】
【特許文献】
【００１０】
【特許文献１】特開２００５−０９２３５０号公報
【発明の概要】
【発明が解決しようとする課題】
【００１１】
しかし、このように投票券の取り消し処理を行うために、オペレータによる投票券の識別情報の目視による見つけ出し作業が行われており、特に発券履歴が膨大にある場合には、これらの作業は時間を要し、非常に煩雑であるという問題点があった。
【００１２】
本発明はこのような点に鑑みてなされたものであり、オペレータの作業負担を低減した公営競技情報処理システム及び公営競技取引装置を提供することを目的とする。
【課題を解決するための手段】
【００１３】
上記課題を解決するために、公営競技に関する情報処理を行う公営競技情報処理システムにおいて、発券可能な投票券に関する情報を記憶し、前記投票券の発券許可を通知するホストコンピュータと、投票券の発券要求を受け付けて前記ホストコンピュータに前記投票券の発券可否を問い合わせて前記発券許可通知を受けると、発券手段から前記投票券を発券させると共に前記投票券の発券履歴情報を記録する第１の公営競技取引装置と、前記第１の公営競技取引装置との通信を実行する装置間通信制御手段と、既に発券された投票券の取り消し要求を受け付けると、前記装置間通信制御手段で前記第１の公営競技取引装置から取得した前記発券履歴情報に、既に発券された前記投票券の有無を判定する判定手段とを有する第２の公営競技取引装置と、を備える公営競技情報処理システムが提供される。
【００１４】
また、上記課題を解決するために、公営競技に関する取引を行う公営競技取引装置において、発券可能な投票券に関する情報を記憶したホストコンピュータから前記投票券の発券許可通知を受けて前記投票券を発券させると共に前記投票券の発券履歴情報を記録する別の公営競技取引装置との通信を実行する装置間通信制御手段と、既に発券された投票券の取り消し要求を受け付けると、前記装置間通信制御手段で前記別の公営競技取引装置から取得した前記発券履歴情報に、既に発券された前記投票券の有無を判定する判定手段と、を有する公営競技取引装置が提供される。
【発明の効果】
【００１５】
上記公営競技情報処理システム及び公営競技取引装置では、オペレータの作業負担を低減することができる。
【図面の簡単な説明】
【００１６】
【図１】第１の実施の形態に係る公営競技情報処理システムを説明するための概念図である。
【図２】第２の実施の形態に係る公営競技情報処理システムの構成を説明するためのシステム構成図である。
【図３】第２の実施の形態に係るホストコンピュータの構成を説明するためのブロック図である。
【図４】第２の実施の形態に係る公営競技取引装置の構成を説明するためのブロック図である。
【図５】第２の実施の形態に係るホストコンピュータの機能を示すブロック図である。
【図６】第２の実施の形態に係る公営競技取引装置（自動機）の機能を示すブロック図である。
【図７】第２の実施の形態に係る公営競技取引装置（有人機）の機能を示すブロック図である。
【図８】第２の実施の形態に係る公営競技情報処理システムの自動機で実行される発券の処理手順を示すフローチャートである。
【図９】第２の実施の形態に係る公営競技情報処理システムの有人機で実行される取り消し及び返金の処理手順を示すフローチャートである。
【図１０】第２の実施の形態に係る公営競技情報処理システムの自動機で実行される返金の処理手順を示すフローチャートである。
【図１１】実施例１に係る投票会場での投票者及びオペレータの動作を示す模式図である。
【図１２】実施例１に係る公営競技情報処理システムの投票券の取り消し処理を実行するためのシークエンス図である。
【図１３】実施例２に係る投票会場での投票者及びオペレータの動作を示す模式図である。
【図１４】実施例２に係る公営競技情報処理システムの投票券の取り消し処理を実行するためのシークエンス図である。
【図１５】第３の実施の形態に係る公営競技取引装置（有人機）の機能を示すブロック図である。
【図１６】第３の実施の形態に係る公営競技情報処理システムの有人機で実行される払い戻しの処理手順を示すフローチャートである。
【発明を実施するための形態】
【００１７】
以下、図面を参照して実施の形態について説明する。
［第１の実施の形態］
図１は、第１の実施の形態に係る公営競技情報処理システムを説明するための概念図である。
【００１８】
公営競技情報処理システム１は、有人機５（第２の公営競技取引装置）が、自動機４（第１の公営競技取引装置）と通信可能であって、取り消し対象の投票券が自動機４から発券されたものであることを判定できるものである。
【００１９】
また、公営競技情報処理システム１では、投票者は、投票する際には、投票カードに、所望のレースへの投票及び投票方式等と共に投票金額を指定する。当該投票カードで投票が受け付けられると、当該投票カードで指定した投票内容の投票券が投票者に発券される。
【００２０】
このような公営競技情報処理システム１は、図１に示されるように、ホストコンピュータ２、当該ホストコンピュータ２とネットワーク３を介して通信可能にそれぞれ接続している自動機４及び有人機５を有する。
【００２１】
ホストコンピュータ２は、公営競技の各競技情報及び各競技結果の管理並びに集計を行う。また、後述する自動機４及び有人機５とネットワーク３を介してそれぞれ接続されており、発券可能な投票券を登録し投票券の発券許可を通知する。そして、払い戻し時には、自動機４及び有人機５から受信する当たり投票券の票内容を取得して、当該投票内容に対する競技結果に応じて、倍率に基づき配当金の算出等を行う。
【００２２】
自動機４は、投票券の発券要求を受け付けてホストコンピュータ２に投票券の発券可否を問い合わせて発券許可が通知されると、発券手段４ｄから投票券を発券させると共に投票券の発券履歴情報を発券履歴情報記録手段４ａに記録する。自動機４は、このような処理を、発券履歴情報記録手段４ａ、ホスト通信制御手段４ｂ、発券制御手段４ｃ、発券手段４ｄ及び装置間通信制御手段４ｅにより実行する。
【００２３】
発券履歴情報記録手段４ａは、投票券の発券履歴を記録する。
ホスト通信制御手段４ｂは、ホストコンピュータ２との情報の送受信を後述する発券制御手段４ｃの要求に応じて行う。
【００２４】
発券制御手段４ｃは、投票券の発券時に、当該投票券の発券の可否を確認するための発券確認をホストコンピュータ２に通知する。また、発券制御手段４ｃは、発券確認が通知されたホストコンピュータ２から発券許可が通知されると、後述する発券手段４ｄから投票券を発券させるごとに投票券を発券履歴情報記録手段４ａに記録する。
【００２５】
発券手段４ｄは、発券制御手段４ｃの発券要求に基づいて、投票者に対して投票券を発券する。
装置間通信制御手段４ｅは、有人機５に対して情報の送受信を実行する。
【００２６】
一方、有人機５は、投票者との窓口対応で当該投票者の要求を伺ったオペレータにより、操作入力が行われる公営競技取引装置であり、オペレータの操作入力に応じて、投票の受け付け、投票券の発券を実行することができる。また、有人機５は、自動機４との通信を実行し、既に発券された投票券の取り消し要求を受け付けると、自動機４から取得した発券履歴情報に、既に発券された投票券の有無を判定する。有人機５は、このような処理を、発券履歴情報格納手段５ａ、入力情報受付手段５ｂ、取り消し制御手段５ｃ、判定手段５ｄ、ホスト通信制御手段５ｅ及び装置間通信制御手段５ｆにより実行する。
【００２７】
発券履歴情報格納手段５ａは、自動機４から転送された発券履歴情報を格納する。
入力情報受付手段５ｂは、取り消し対象とされる既に発券された投票券が受け付けられる。
【００２８】
取り消し制御手段５ｃは、入力情報受付手段５ｂが取り消し対象の投票券を受け付けると、後述する装置間通信制御手段５ｆから自動機４に対して発券履歴情報の転送要求を通知させる。また、取り消し制御手段５ｃは、入力情報受付手段５ｂが受け付けた投票券が発券履歴情報格納手段５ａに格納されている発券履歴情報に存在しているか否かを判定手段５ｄに判定させる。さらに、取り消し制御手段５ｃは、判定結果に応じて、ホスト通信制御手段５ｅから当該投票券の取り消し要求をホストコンピュータ２に通知させる。
【００２９】
判定手段５ｄは、自動機４から取得した発券履歴情報に、取り消し対象とされる既に発券された投票券の有無を判定するものである。
ホスト通信制御手段５ｅは、取り消し制御手段５ｃの要求に応じて、ホストコンピュータ２に対して投票券の取り消し要求を通知する。また、ホスト通信制御手段５ｅはホストコンピュータ２から投票券の取り消し完了が通知される。
【００３０】
装置間通信制御手段５ｆは、自動機４に対して情報の送受信を実行する。
なお、自動機４及び有人機５は、例えば、同じフロアにおいて隔てられたエリアにそれぞれ設置されて、有人機５が設置されているエリアからオペレータは窓口を介して投票者の投票等の要求に対応することができる。
【００３１】
このような公営競技情報処理システムで行われる、ホストコンピュータ２に登録された投票券の取り消し処理について説明する。
まず、投票者は自動機４で投票券を購入する。
【００３２】
投票を行うために、投票者は投票カードに所望の競技に対する投票対象及び投票金額等を指定して、当該投票カードの投票内容を自動機４の読み取り装置（図示を省略）に読み取らせる。
【００３３】
自動機４の発券制御手段４ｃは、当該投票カードから読み取った投票内容に対応する投票券の発券確認をホスト通信制御手段４ｂからホストコンピュータ２に通知する。
ホストコンピュータ２は、通知された発券確認の対象とされる投票券を図示しない記憶領域に登録すると共に、当該投票券の発券許可を自動機４に通知する。
【００３４】
自動機４の発券制御手段４ｃは、投票者から投票金額に応じた購入金額を受領すると、当該投票券を発券履歴情報記録手段４ａに記憶させると共に、発券手段４ｄに当該投票券を発券させる。これにより、投票者は所望の投票を完了し、投票券を購入することができる。
【００３５】
このようにして投票を行った投票者は、当該投票券が誤って購入したもの等であれば、当該投票券を取り消す必要がある。
この場合、投票者はオペレータがいる窓口に申し出て、オペレータに当該投票券を手渡し、当該投票券の取り消しを依頼する。
【００３６】
オペレータは、有人機５の読み取り装置（図示を省略）に誤購入した投票券を読み取らせると、入力情報受付手段５ｂが当該投票券を受け付ける。
取り消し制御手段５ｃは、発券履歴情報の転送要求を装置間通信制御手段５ｆから自動機４に通知させる。
【００３７】
自動機４は、転送要求に応じて、発券履歴情報記録手段４ａから発券履歴情報記録手段４ａに記憶されている発券履歴情報を有人機５に転送する。
有人機５では、取り消し制御手段５ｃは装置間通信制御手段５ｆに受信した発券履歴情報を発券履歴情報格納手段５ａに格納させて、さらに、発券履歴情報格納手段５ａに格納されている発券履歴情報に取り消し対象の投票券の存在の有無を判定手段５ｄに判定させる。
【００３８】
判定手段５ｄが投票券の存在する旨を判定すると、取り消し制御手段５ｃは、ホスト通信制御手段５ｅからホストコンピュータ２に、取り消し対象の投票券の取り消し要求を通知する。
【００３９】
ホストコンピュータ２は、取り消し要求に応じて、投票券の取り消しを行って、取り消し完了を有人機５に通知する。
オペレータは、取り消し完了した投票券の購入金額を有人機５用の資金から手作業で計数して窓口の投票者に手渡して購入金額を返金することができる。
【００４０】
また、取り消し完了した投票券の購入金額の手作業による計数に誤りが発生しないようにするために以下の処理を行うようにすることも可能である。
有人機５に取り消し完了が通知されると、取り消し制御手段５ｃは装置間通信制御手段５ｆから取り消し完了した投票券の購入金額の返金要求を自動機４に通知する。自動機４は、図示しない現金処理手段から当該購入金額を出金して、当該購入金額を投票者に返金することができる。
【００４１】
このように、公営競技情報処理システム１では、自動機４及び有人機５を装置間通信制御手段４ｅ，５ｆで通信可能にして、自動機４で記憶した投票券の発券履歴情報を有人機５に転送できるようにした。さらに、有人機５で取り消し対象の投票券が当該発券履歴情報に存在することを判定するようにした。
【００４２】
これにより、取り消し対象の投票券が自動機４から発券されたものか否かを容易に、短時間かつ正確に判定できるようになる。
［第２の実施の形態］
第２の実施の形態は、第１の実施の形態をより具体的に説明する。
【００４３】
図２は、第２の実施の形態に係る公営競技情報処理システムの構成を説明するためのシステム構成図である。
公営競技情報処理システム１０は、図２に示されるように、ホストコンピュータ２０、当該ホストコンピュータ２０とネットワーク３０を介して通信可能に接続している自動機４０及び有人機５０を有する。また、自動機４０及び有人機５０はそれぞれ互いに通信可能に接続されている。
【００４４】
なお、自動機４０及び有人機５０を、１台ではなく複数台設置させる場合には、自動機４０同士、有人機５０同士、また、自動機４０及び有人機５０の間でそれぞれ通信可能に接続する。
【００４５】
以下では、ホストコンピュータ２０、自動機４０、有人機５０の詳細についてそれぞれ説明する。
図３は、第２の実施の形態に係るホストコンピュータの構成を説明するためのブロック図である。
【００４６】
ホストコンピュータ２０は、公営競技の各競技情報及び各競技結果の管理並びに集計を行うと共に、自動機４０及び有人機５０がネットワーク３０を介して接続されている。
このようなホストコンピュータ２０は、制御ユニット２１０と、表示入力ユニット２２０とを具備する。
【００４７】
制御ユニット２１０は装置全体を制御するものであって、ＣＰＵ（Central Processing Unit）２１１、ＲＡＭ（Random Access Memory）２１２、通信部２１３、グラフィック処理部２１４、ＨＤＤ（Hard Disk Drive）２１５及び入出力制御部２１６を備える。
【００４８】
ＣＰＵ２１１は、ＨＤＤ２１５等の記憶媒体に記憶された各種プログラムを実行することにより、このホストコンピュータ２０全体を統括的に制御する。
ＲＡＭ２１２には、ＣＰＵ２１１に実行させるＯＳ（Operating System）及びプログラムの少なくとも一部が一時的に格納される。また、ＲＡＭ２１２には、ＣＰＵ２１１による処理に必要な各種データが格納される。
【００４９】
通信部２１３は、自動機４０及び有人機５０と通信可能に、例えばＬＡＮ（Local Area Network）でそれぞれ接続されており、送受信信号の通信を行うことができる。
グラフィック処理部２１４は、具体例としては、ビデオカード、グラフィックボードであって、ＣＰＵ２１１からの命令に従って、表示入力ユニット２２０に表示させる画像データを表示入力ユニット２２０の表示部２２１に送信する。
【００５０】
ＨＤＤ２１５には、ホストコンピュータ２０上のＯＳ及びアプリケーションのプログラムが格納される。また、ＨＤＤ２１５には、ＣＰＵ２１１による処理に必要な各種データが格納される。
【００５１】
入出力制御部２１６には、表示入力ユニット２２０の入力部２２２が接続されている。当該入力部２２２は、バス２１７を介してＣＰＵ２１１と相互に信号の送受信を行う。
また、表示入力ユニット２２０は、通知された画像情報に基づいて画像を表示する液晶ディスプレイである表示部２２１と、操作入力を受け付けるタッチパネルやキーボートやマウス等の入力装置が接続された入力部２２２とを備える。
【００５２】
図４は、第２の実施の形態に係る公営競技取引装置の構成を説明するためのブロック図である。なお、図４では、自動機４０及び有人機５０を共に表しており、例えば、「制御ユニット４１０，５１０」は、制御ユニット４１０は自動機４０の構成であり、制御ユニット５１０は有人機５０の構成であることを表す。
【００５３】
公営競技取引装置である自動機４０及び有人機５０は、自動機４０及び有人機５０で行われる所定の処理の実行及び各種ユニットの動作を制御する制御ユニット４１０，５１０、投票者及びオペレータからの操作入力を受け付けて、処理結果を表示する表示入力ユニット４２０，５２０を有する。さらに、自動機４０及び有人機５０は、投票カードに記入された投票内容を読み取る投票カード読取ユニット４３０，５３０、投票券を発券する投票券発券ユニット４４０，５４０、投票券の投票内容を読み取る投票券読取ユニット４５０，５５０を有する。特に、自動機４０は、当たり投票券に対応する配当金、投票券購入時の釣銭等の入出金を実行する現金処理ユニット４６０を有する。
【００５４】
なお、現金処理ユニット４６０には、オペレータが現金の補充等を行うための現金の入出金口が例えば装置背面側に設けられている。また、自動機４０には、オペレータが自動機４０の設定の変更、メンテナンス等を実行するために、例えば、背面に操作ユニット（図示を省略）が設置されている。
【００５５】
制御ユニット４１０，５１０は、ＣＰＵ４１１，５１１、ＲＡＭ４１２，５１２、ホスト通信部４１３，５１３、端末間通信部４１４，５１４、グラフィック処理部４１５，５１５、ＨＤＤ４１６，５１６及び入出力制御部４１７，５１７を備えており、これらの各部はバス４１８，５１８で相互に接続されている。
【００５６】
なお、ＣＰＵ４１１，５１１、ＲＡＭ４１２，５１２、グラフィック処理部４１５，５１５、ＨＤＤ４１６，５１６及び入出力制御部４１７，５１７は、図３に示したホストコンピュータ２０のＣＰＵ２１１、ＲＡＭ２１２、グラフィック処理部２１４、ＨＤＤ２１５及び入出力制御部２１６と同じ動作を行うものであるために、それぞれの説明は省略する。なお、本実施例では各種プログラムをＨＤＤに記憶させているが、これに限らず、例えばコンパクトフラッシュ（登録商標）等のメモリカード等に記憶させても良い。
【００５７】
また、表示入力ユニット４２０，５２０もまた図３に示したホストコンピュータ２０の表示入力ユニット２２０と同じ構成並びに同じ動作を行うものであるためにそれぞれの説明は省略する。
【００５８】
ホスト通信部４１３，５１３は、ホストコンピュータ２０と通信可能に、例えばＬＡＮで接続されており、ホストコンピュータ２０と送受信信号の通信を行うことができる。
端末間通信部４１４，５１４は、自動機４０及び有人機５０が通信可能に接続されており、自動機４０及び有人機５０間の送受信信号の通信を行うことができる。
【００５９】
入出力制御部４１７，５１７には、投票カード読取ユニット４３０，５３０、投票券発券ユニット４４０，５４０、投票券読取ユニット４５０，５５０及び現金処理ユニット４６０が接続されており、それぞれバス４１８，５１８を介してＣＰＵ４１１，５１１と相互に信号の送受信を行う。また、自動機４０では、操作ユニットも接続されており、同様に信号の送受信を行う。
【００６０】
次いで、ホストコンピュータ２０、自動機４０、有人機５０が備える機能を表す機能ブロック図についてそれぞれ説明する。
図５は、第２の実施の形態に係るホストコンピュータの機能を示すブロック図である。
【００６１】
ホストコンピュータ２０は、自動機４０及び有人機５０とそれぞれ通信可能であって、投票券の発券管理を実行するものである。
このようなホストコンピュータ２０は、図５に示されるように、発券履歴格納部２１、通信制御部２２、投票券管理制御部２３及び取り消し実行部２４を有する。
【００６２】
発券履歴格納部２１は、自動機４０及び有人機５０から発券された投票券の発券履歴に関する情報が格納されている。発券履歴としては、例えば、投票券に対応したシリアルナンバー、投票内容、投票金額、発券日時、会場名等が時系列に配列したものである。
【００６３】
通信制御部２２は、自動機４０及び有人機５０と通信可能に接続されており、データの送受信を行うものである。
投票券管理制御部２３は、自動機４０及び有人機５０から発券確認が通知されると、確認対象の投票券についてシリアルナンバーと共に発券履歴格納部２１に格納させる。また、投票券管理制御部２３は、取り消し要求が通知されると、取り消し実行部２４に、発券履歴格納部２１に格納されている発券履歴から、取り消し対象の投票券を取り消させる。
【００６４】
取り消し実行部２４は、投票券管理制御部２３の要求に応じて、取り消し対象の投票券を発券履歴格納部２１に格納されている発券履歴から取り消す。
図６は、第２の実施の形態に係る公営競技取引装置（自動機）の機能を示すブロック図である。なお、ユニット部１４００は、図４に示した、投票カード読取ユニット４３０、投票券発券ユニット４４０、投票券読取ユニット４５０及び現金処理ユニット４６０の総称である。
【００６５】
自動機４０は、投票者からの操作入力に応じて、投票カードの受け付け、投票券の発券、当たり投票券に対応する配当金の払い戻しを実行し、後述する有人機５０と通信可能に接続されているものである。
【００６６】
このような自動機４０の制御ユニット４１０は、図６に示されるように、電子ジャーナル記録部４１、入力情報受付部４２、発券制御部４３、ホスト通信制御部４４、ユニット制御部４５、表示制御部４６、電子ジャーナル管理制御部４７及び端末間通信制御部４８を有する。
【００６７】
電子ジャーナル記録部４１は、発券された投票券の投票内容、シリアルナンバー、会場情報、購入金額等の発券情報が印字されたレシートの印字内容を電子化したデータを格納する。
【００６８】
入力情報受付部４２は、入力部４２２で入力された入力情報、ユニット部１４００（投票カード読取ユニット４３０、投票券読取ユニット４５０）で読み取った読取情報を受け付ける。
【００６９】
発券制御部４３は、入力情報受付部４２で受け付けた情報に応じた処理を実行する。また、入力情報受付部４２で投票カードの読取情報を受け付けると、読み取った当該投票カードの投票内容に基づいた投票券の発券確認をホスト通信制御部４４からホストコンピュータ２０に通知させる。ホストコンピュータ２０から発券許可が通知されると、表示制御部４６に表示部４２１で当該投票券の購入金額を表示させて、入力情報受付部４２が現金処理ユニット４６０で当該購入金額の支払いを受け付けると、ユニット制御部４５に投票券発券ユニット４４０から発券情報を付して当該投票券を発券させる。これと共に、電子ジャーナル管理制御部４７に、当該投票券の投票内容をシリアルナンバー及び購入金額等を対応づけて電子ジャーナル記録部４１に格納させる。
【００７０】
ホスト通信制御部４４は、発券制御部４３の送信要求に基づいたデータをホストコンピュータ２０に送信すると共に、ホストコンピュータ２０からのデータを受信して発券制御部４３及び表示制御部４６に通知する。
【００７１】
ユニット制御部４５は、発券制御部４３の制御要求に基づいて、ユニット部１４００（投票カード読取ユニット４３０、投票券発券ユニット４４０、投票券読取ユニット４５０及び現金処理ユニット４６０）の各ユニットを駆動させる。
【００７２】
表示制御部４６は、発券制御部４３及びホスト通信制御部４４からの表示要求に基づいて、表示部４２１に表示させる。
電子ジャーナル管理制御部４７は、発券制御部４３の格納要求に応じて、投票券の発券情報を電子化して電子ジャーナル記録部４１に格納する。また、有人機５０からの転送要求に応じて、電子ジャーナル記録部４１に格納している電子ジャーナルを端末間通信制御部４８から転送させる。
【００７３】
端末間通信制御部４８は、電子ジャーナル管理制御部４７の送信要求に基づいたデータを有人機５０に送信すると共に、有人機５０からのデータを受信して電子ジャーナル管理制御部４７に通知する。
【００７４】
図７は、第２の実施の形態に係る公営競技取引装置（有人機）の機能を示すブロック図である。なお、ユニット部１５００は、図４に示した、投票カード読取ユニット５３０、投票券発券ユニット５４０及び投票券読取ユニット５５０の総称である。
【００７５】
有人機５０は、投票者の依頼に基づいたオペレータの操作入力に応じて、投票カードの受け付け、投票券の発券を実行し、自動機４０と通信可能に接続されている。
このような有人機５０の制御ユニット５１０は、図７に示されるように、電子ジャーナル格納部５１、入力情報受付部５２、取り消し制御部５３、端末間通信制御部５４、判定部５５、ホスト通信制御部５６、表示制御部５７及びユニット制御部５８を有する。
【００７６】
電子ジャーナル格納部５１は、自動機４０から転送された電子ジャーナルを格納する。
入力情報受付部５２は、入力部５２２で入力された入力情報、ユニット部１５００（投票カード読取ユニット５３０、投票券発券ユニット５４０及び投票券読取ユニット５５０）で読み取った読取情報を受け付ける。
【００７７】
取り消し制御部５３は、ホスト通信制御部５６を通じてホストコンピュータ２０で管理されているレース情報を取得し、また、入力情報受付部５２で受け付けた情報に応じた処理を実行する。また、取り消し制御部５３は、入力情報受付部５２で取り消し対象の投票券の発券情報を受け付けると、ホストコンピュータ２０からのレース情報を参照して、取り消し対象の投票券の受け付け時期が当該投票券に対応するレースの投票締め切り以前であれば、取り消し可と判定し、投票締め切り以後であれば、取り消し不可と判定する。さらに、会場情報が投票券に記録された投票券を取り消す場合は、取り消し対象の投票券の会場情報に基づいて、当該投票券が発券された会場で購入されたものであれば取り消し可と判定し、当該会場以外で購入されたものであれば取り消し不可と判定することとしても良い。また、取り消し制御部５３は、入力情報受付部５２で取り消し対象の投票券の発券情報を受け付けると、端末間通信制御部５４から自動機４０に電子ジャーナルの転送要求を通知させる。電子ジャーナルが転送されると、当該電子ジャーナルに取り消し対象の投票券が含まれるか否かを判定部５５に判定させる。判定部５５が取り消し対象の投票券が当該電子ジャーナルに含まれることを判定すると、ホスト通信制御部５６からホストコンピュータ２０に対して当該投票券の取り消し要求を通知させる。ホストコンピュータ２０から取り消し完了が通知されると、表示制御部５７から表示部５２１に取り消し完了した旨を表示させる。
【００７８】
端末間通信制御部５４は、取り消し制御部５３の送信要求に基づいたデータを自動機４０に送信すると共に、自動機４０からのデータを受信する。受信したデータが電子ジャーナルであれば、電子ジャーナル格納部５１に格納する。
【００７９】
判定部５５は、取り消し制御部５３の要求に応じて、転送された電子ジャーナルに取り消し対象の投票券が含まれるか否かを判定する。また、判定結果は取り消し制御部５３に通知する。
【００８０】
ホスト通信制御部５６は、発券制御部４３の送信要求に基づいたデータをホストコンピュータ２０に送信すると共に、ホストコンピュータ２０からのデータを受信して取り消し制御部５３に通知する。
【００８１】
表示制御部５７は、取り消し制御部５３の表示要求に基づいて、例えば、取り消し対象の投票券の取り消しが完了したこと等を表示部５２１に表示させる。
ユニット制御部５８は、入力情報受付部５２及び取り消し制御部５３の制御要求に基づいて、ユニット部１５００の各ユニットを稼働させる。
【００８２】
次に、このような構成を有する公営競技情報処理システム１０において、自動機４０での投票券の発券処理後、有人機５０で行う当該投票券の取り消し処理及び返金処理についてそれぞれ説明する。
【００８３】
図８は、第２の実施の形態に係る公営競技情報処理システムの自動機で実行される発券の処理手順を示すフローチャートである。
まず、投票者は投票カードに所望のレースを投票方法と共に指定し、任意の金額を設定する。
【００８４】
［ステップＳ１１］  投票者が当該投票カードを自動機４０の投票カード読取ユニット４３０に読み取らせると、入力情報受付部４２が投票カードの投票内容等の情報を受け付ける。
【００８５】
［ステップＳ１２］  発券制御部４３は、ステップＳ１１で読み取った投票カードの発券確認を行い、入力情報受付部４２が現金処理ユニット４６０から当該購入金額の受領を受け付けると、ホスト通信制御部４４からホストコンピュータ２０に通知させる。
【００８６】
［ステップＳ１３］  発券制御部４３は、ホスト通信制御部４４がホストコンピュータ２０から発券許可が通知されたか否かを判定する。次の処理は、発券許可が通知された場合にはステップＳ１４に進められ、発券許可以外、即ち、発券非許可が通知されると以降の処理が終了される。
【００８７】
［ステップＳ１４］  発券制御部４３は、ステップＳ１１で読み取った投票内容、購入金額と共にシリアルナンバーを付した投票券の情報を電子ジャーナル管理制御部４７は電子ジャーナル記録部に記録させる。
【００８８】
［ステップＳ１５］  発券制御部４３は、投票券の購入金額を表示制御部４６から表示部４２１に表示させる。
［ステップＳ１６］  発券制御部４３は、ユニット制御部４５に投票券発券ユニット４４０から投票券を発券させる。
【００８９】
以上の処理により、投票者の所望のレースに対する投票が行われて、投票者には当該投票が記載された投票券を得ることができる。
次に、このようにして投票が行われて発券された投票券を取り消す場合の有人機５０の取り消し処理及び返金処理について説明する。
【００９０】
図９は、第２の実施の形態に係る公営競技情報処理システムの有人機で実行される取り消し及び返金の処理手順を示すフローチャートである。
［ステップＳ２１］  入力情報受付部５２が、オペレータによる入力部５２２に対する取り消し処理開始の操作入力を受け付けて、投票券読取ユニット５５０が読み取った、取り消し対象の投票券の発券情報を受け付ける。
【００９１】
［ステップＳ２２］  取り消し制御部５３は、ホストコンピュータ２０からホスト通信制御部５６が通知したレースの開催情報に基づいて、入力情報受付部５２が取り消し対象の投票券を受け付けた時期が、当該投票券に対応するレースが投票受付期間内であるか否かを判定する。次の処理は、当該投票券の受け付け時期が当該レースの投票受付期間内であればステップＳ２３に進められ、レースの投票が締め切られた後であれば以降の処理が終了する。
【００９２】
なお、投票券の取り消し可能時期は、レースの投票期間内に限らず、ユーザにより設定することが可能であるものの、少なくともレース開始前までに、投票券の取り消しを行うようにすることが望ましい。
【００９３】
［ステップＳ２３］  取り消し制御部５３は、ホストコンピュータ２０からホスト通信制御部５６に通知された会場情報に基づいて、入力情報受付部５２が受け付けた取り消し対象の投票券の発券情報から、当該投票券が現在の対象とする会場（本会場）で発券されたものであるか否かを判定する。次の処理は、本会場で発券されたものであればステップＳ２４に進められ、他の会場で発券されたものであれば以降の処理が終了する。
【００９４】
なお、ステップＳ２２，Ｓ２３は逆の順序で行っても構わない。また、ステップＳ２３の処理は行わなくても構わない。
［ステップＳ２４］  取り消し制御部５３は、端末間通信制御部５４から電子ジャーナルの転送要求を自動機４０に対して通知する。転送要求に応じた自動機４０から転送された電子ジャーナルは電子ジャーナル格納部５１に格納される。
【００９５】
なお、当該電子ジャーナルの転送要求の自動機４０への通知は、ステップＳ２３以前に実行しても構わない。また、当該電子ジャーナルの転送は、自動機が有人機に常に送ることとしても良い。
【００９６】
［ステップＳ２５］  取り消し制御部５３は、判定部５５に、ステップＳ２４で転送された電子ジャーナル内に取り消し対象の投票券の存在を判定する。次の処理は、電子ジャーナル内に投票券があればステップＳ２６に進められ、投票券が無ければ以降の処理は終了する。
【００９７】
［ステップＳ２６］  取り消し制御部５３は、ホスト通信制御部５６から当該投票券の取り消し要求をホストコンピュータ２０に通知させる。
［ステップＳ２７］  次の処理は、ホスト通信制御部５６がホストコンピュータ２０から取り消し完了が通知された場合にはステップＳ２８に進められ、取り消しが完了できない旨が通知された場合にはステップＳ３１に進められる。
【００９８】
［ステップＳ２８］  取り消し制御部５３は、表示制御部５７から表示部５２１に、当該投票券の購入金の返金方法を選択させる選択画面を表示させる。
なお、購入金の返金方法としては、まず、有人機５０用の資金から手作業によって計数して投票者に手渡す方法がある。また、自動機４０を利用する方法もある。この場合には、自動機４０の現金処理ユニット４６０から購入金を出金させて投票者に直接返金する方法と、オペレータの操作により自動機４０が購入金を計数して、現金処理ユニット４６０の投票者側とは別のオペレータ側の入出金口から出金して、出金された購入金をオペレータにより投票者に手渡す方法とがある。
【００９９】
［ステップＳ２９］  次の処理は、ステップＳ２８で選択された返金方法が、自動機４０を利用するものであればステップＳ３０に進められ、有人機５０用の資金から手作業での返金であればステップＳ３１に進められる。
【０１００】
［ステップＳ３０］  自動機４０を利用して投票者に取り消し対象の投票券の購入金が返金される。
［ステップＳ３１］  投票券の取り消し処理が終了する。なお、このタイミングで、オペレータによって有人機５０用の資金から手作業で購入金が計数されて、投票者には当該購入金が手渡されて返金される。
【０１０１】
次に、ステップＳ３０における自動機４０で行われる返金処理について説明する。
図１０は、第２の実施の形態に係る公営競技情報処理システムの自動機で実行される返金の処理手順を示すフローチャートである。以下の処理は、ステップＳ２８において表示された選択画面に対する選択結果に応じて実行される。
【０１０２】
［ステップＳ３０ａ］  取り消し制御部５３は、入力情報受付部５２が受け付けた返金方法選択結果が自動機４０において投票者に直接返金するか否かを判定する。次の処理は、投票者に直接返金する場合には、ステップＳ３０ｂに進められ、オペレータから返金する場合にはステップＳ３０ｄに進められる。
【０１０３】
［ステップＳ３０ｂ］  取り消し制御部５３は、端末間通信制御部５４から自動機４０に投票者により入金されている金額の残高に、当該購入金の金額の加算要求を通知する。
［ステップＳ３０ｃ］  取り消し制御部５３は、端末間通信制御部５４から自動機４０に投票者への直接返金実行要求を通知して、自動機４０の現金処理ユニット４６０からステップＳ３２で加算された残高の金額を出金させて、投票者に返金される。
【０１０４】
［ステップＳ３０ｄ］  取り消し制御部５３は、端末間通信制御部５４から自動機４０にオペレータによる返金実行要求を通知して、自動機４０のオペレータ側の入出金口から当該購入金が出金される。なお、その後、オペレータは出金された購入金を投票者に手渡すことで返金が行われる。
【０１０５】
次に、このような公営競技情報処理システムを利用した実施例について説明する。
［実施例１］
実施例１では、投票券を取り消した後、オペレータにより手作業で計数された購入金が投票者に手渡して返金する場合について説明する。
【０１０６】
図１１は、実施例１に係る投票会場での投票者及びオペレータの動作を示す模式図である。
投票会場６０は、図１１に示されるように、投票者が同種の自動機４０，６４ａ〜６４ｃにより投票等を行う投票者エリア６１と、投票者からの依頼に応じてオペレータが有人機等の操作を行うオペレータエリア６２とに隔てられて構成されている。なお、投票者エリア６１の「投」は投票者を、オペレータエリア６２の「オ」はオペレータをそれぞれ表している。
【０１０７】
オペレータエリア６２には、投票者エリア６１の投票者との窓口対応が行われる窓口６３が設けられている。また、オペレータエリア６２には、有人機５０及び主として発券に用いられる有人機（発券用）６５ａ，６５ｂと、各有人機用の資金の保存管理を行う有人機用資金管理机６７と、投票会場内の全ての資金の保存管理を行う投票会場内資金管理机６８とが設置されている。さらに、自動機４０，６４ａ〜６４ｃが投票者からの操作入力を受け付ける表示入力面を投票者エリア６１側に向けた状態で設置されている。このような自動機４０，６４ａ〜６４ｃのオペレータエリア６２側の操作ユニットに対して、オペレータは自動機４０，６４ａ〜６４ｃの設定、メンテナンス、現金の補充等を行うことができる。なお、自動機４０，６４ａ〜６４ｃの間には、オペレータエリア６２側からのみ開閉可能な小窓６６ａ〜６６ｄが設けられており、オペレータは小窓６６ａ〜６６ｄを介して、投票者エリア６１側にいる自動機４０，６４ａ〜６４ｃを操作している投票者の対応を行うことが可能である。また、小窓６６ａ〜６６ｄの投票者エリア６１側には、オペレータを呼び出すことができる例えば呼び鈴（図示を省略）も設置されており、投票者は当該呼び鈴により、オペレータエリア６２内のオペレータを呼び出すことができる。
【０１０８】
次に、公営競技情報処理システムで行われる投票者による投票券の購入、当該投票券の取り消し及び購入金の返金について説明する。
図１２は、実施例１に係る公営競技情報処理システムの投票券の取り消し処理を実行するためのシークエンス図である。
【０１０９】
投票者は予め投票カードに所望のレースの投票内容を指定し、任意の金額を設定しておく。
［ステップＳ４１］  投票者は、投票者エリア６１の位置（１）において、自動機４０の投票カード読取ユニット４３０に当該投票カードを読み取らせる（図８：ステップＳ１１）。自動機４０は、投票者から当該投票券に応じた購入金が入金されると、読み取った投票内容の投票券の発券確認をホストコンピュータ２０に通知させる（図８：ステップＳ１２）。
【０１１０】
［ステップＳ４２］  ホストコンピュータ２０は、自動機４０から投票券の発券確認が通知されると、確認対象の投票券についてシリアルナンバーと共に発券履歴格納部２１に格納して、自動機４０に投票券の発券許可を通知する。
【０１１１】
自動機４０は、ホストコンピュータ２０から発券許可が通知されると、読み取った投票内容と共にシリアルナンバーを付した投票券の発券情報を電子ジャーナル記録部に記録し、投票券発券ユニット４４０から投票券を投票者に発券する（図８：ステップＳ１３〜Ｓ１６）。
【０１１２】
このようにして投票券を購入した投票者が、当該投票券の投票内容の誤りに気づいた場合、投票者は、投票者エリア６１の位置（１）から位置（２）の窓口６３に移動して、位置（ａ）のオペレータに当該投票券を手渡して、当該投票券の取り消しと購入金の返金とを申し出る。
【０１１３】
［ステップＳ４３］  オペレータは、位置（ａ）から移動して位置（ｂ）の有人機５０の投票券読取ユニット５５０に当該投票券の発券情報を読み取らせて、有人機５０は当該投票券が投票会場６０で発券されたものであって、当該投票券に対応するレースの投票の受け付け中であることを判定すると、電子ジャーナルの転送要求を自動機４０に対して通知する（図９：ステップＳ２１〜Ｓ２４）。
【０１１４】
［ステップＳ４４］  自動機４０は、転送要求に応じて電子ジャーナルを有人機５０に転送する。
有人機５０は、自動機４０から電子ジャーナルが転送されると、電子ジャーナル格納部５１に格納する。
【０１１５】
［ステップＳ４５］  有人機５０は、転送された電子ジャーナル内に取り消し対象の投票券の存在を確認すると、当該投票券の取り消し要求をホストコンピュータ２０に通知する（図９：ステップＳ２５，Ｓ２６）。
【０１１６】
［ステップＳ４６］  ホストコンピュータ２０は、発券履歴格納部２１に格納されている発券履歴から、取り消し対象の投票券を取り消して、取り消し完了を有人機５０に通知する。
【０１１７】
有人機５０は、ホストコンピュータ２０から取り消し完了が通知されると、表示部５２１に、当該投票券の購入金額の回収先を選択させる選択画面を表示する（図９：ステップＳ２７，Ｓ２８）。
【０１１８】
オペレータは手動による返金方法を選択画面で選択することにより、有人機用資金管理机６７に移動して、投票券の購入金を手作業で計数する。オペレータは、再び、位置（ａ）に移動して窓口の投票者に取り消し完了した旨を伝えると共に購入金を返金する。
【０１１９】
このように、公営競技情報処理システム１０では、自動機４０及び有人機５０を通信可能にして、自動機４０で記憶した投票券の電子ジャーナルを有人機５０に転送できるようにした。さらに、有人機５０で取り消し対象の投票券が当該電子ジャーナルに存在することを判定するようにした。
【０１２０】
これにより、取り消し対象の投票券が自動機４０から発券されたものか否かを容易に、短時間かつ正確に判定できるようになる。
［実施例２］
実施例２では、自動機から出金した購入金をオペレータから投票者に返金する場合について説明する。
【０１２１】
図１３は、実施例２に係る投票会場での投票者及びオペレータの動作を示す模式図である。
図１３に示す投票会場６０は、図１１に示したものと同じ構成であるためにその詳細な説明について省略する。
【０１２２】
このような投票会場６０の公営競技情報処理システム１０で行われる投票者による投票券の購入、当該投票券の取り消し及び購入金の返金について説明する。
図１４は、実施例２に係る公営競技情報処理システムの投票券の取り消し処理を実行するためのシークエンス図である。
【０１２３】
図１４のシークエンス図は、図１２のシークエンス図のステップＳ４１〜Ｓ４６と同じ処理が行われるものの、実施例２では、投票者は、投票券の購入直後に、当該投票券の投票内容の誤りに気づいた場合を表している。
【０１２４】
この場合には、自動機４０が投票者に投票券を発券して（図１４：ステップＳ４１，Ｓ４２）、投票者は、投票券の購入直後に、当該投票券の投票内容の誤りに気づくと、投票者エリア６１の位置（１）で、小窓６６ａに設置された呼び鈴からオペレータを呼び出す。呼び出されたオペレータは位置（ｃ）で小窓６６ａを開けて、投票者から取り消し対象の投票券を受領し、位置（ｂ）の有人機５０に移動して取り消し処理を実行する（図１４：ステップＳ４３〜Ｓ４６）。
【０１２５】
［ステップＳ４７］  ステップＳ４６でホストコンピュータ２０から取り消し完了が通知されて、有人機５０が表示部５２１に表示した返金方法を選択させる選択画面に対して、オペレータが自動機４０でオペレータによる返金方法を選択すると共に、当該返金実行要求が自動機４０に通知される（図１０：ステップＳ３４）。
【０１２６】
オペレータは、位置（ｂ）から位置（ｄ）の自動機４０に移動し、自動機４０で計数され、背面の入出金口から出金された購入金を受領して、位置（ｃ）の小窓６６ａから投票者に取り消しが完了した旨を伝えると共に購入金を返金する。
【０１２７】
このように、公営競技情報処理システム１０では、自動機４０及び有人機５０で通信可能にして、自動機４０で記憶した投票券の電子ジャーナルを有人機５０に転送できるようにした。さらに、有人機５０で取り消し対象の投票券が当該電子ジャーナルに存在することを判定するようにした。これにより、取り消し対象の投票券が自動機４０から発券されたものか否かを容易に、短時間かつ正確に判定できるようになる。また、購入金の計数を自動機４０に行わせているために、計数の誤りの発生を防止することが可能となる。
【０１２８】
［実施例３］
実施例３では、自動機４０から投票者に直接返金する場合について説明する。
例えば、投票者が投票券の購入後、引き続き自動機４０の操作中であって、その時に投票券の誤りに気づいた場合を想定する。
【０１２９】
この場合も、実施例２と同様にステップＳ４１〜Ｓ４６が行われる。また、オペレータは、図９のステップＳ２８で表示された選択画面で自動機４０であって、投票者側に返金させることを選択して、図９のステップＳ２８で選択された自動機４０で投票者側に返金する返金要求が自動機４０に通知される（ステップＳ４７）。
【０１３０】
投票者によって操作中の自動機４０に、このような返金要求が通知されると、自動機４０の表示部４２１に表示されている投票者により既に入金されている現金の残高に対して、購入金分が加算される（図１０：ステップＳ３２）。
【０１３１】
そして、自動機４０は、投票者の残高のリジェクト要求に応じて、購入金分が加算された残高を投票者に出金することで、投票者に購入金を返金することができる。
このように、公営競技情報処理システム１０では、自動機４０及び有人機５０で通信可能にして、自動機４０で記憶した投票券の電子ジャーナルを有人機５０に転送できるようにした。さらに、有人機５０で取り消し対象の投票券が当該電子ジャーナルに存在することを判定するようにした。これにより、取り消し対象の投票券が自動機４０から発券されたものか否かを容易に、短時間かつ正確に判定できるようになる。また、購入金の計数を自動機４０に行わせているために、計数の誤りの発生を防止することが可能となる。また、自動機４０での返金時に、購入金を投票者の残高に加算して返金しているために、投票者に確実かつ容易に返金することが可能となる。
【０１３２】
［実施例４］
実施例４では、自動機４０から投票者に直接返金する別の場合について説明する。
この場合では、実施例３において、自動機４０から出金した購入金をオペレータによって投票者に直接返金する別の方法が図９のステップＳ２８で選択されて、以下の処理が行われる。
【０１３３】
自動機４０は、有人機５０から返金要求が通知される（図１４：ステップＳ４７）と、投票券の発券、当たり投票券に応じた配当金の払い戻し等の処理を実行する稼動状態を一旦保留状態にする。
【０１３４】
この間に、オペレータは位置（ｂ）から位置（ｄ）の自動機４０に移動して、小窓６６ａから、自動機４０の前に取り消しの申し出を行った投票者がいることを確認する。そして、オペレータが自動機４０の操作ユニットで返金を実行させるための操作を行うと、自動機４０の現金処理ユニット４６０で購入金を計数して出金して、投票者に直接返金することができる。
【０１３５】
なお、その後は、例えば、オペレータが、自動機４０から投票者が立ち去ったことを確認して、自動機４０の操作ユニットに操作を行って、自動機４０が稼動状態に戻される。
このように、公営競技情報処理システム１０では、自動機４０及び有人機５０で通信可能にして、自動機４０で記憶した投票券の電子ジャーナルを有人機５０に転送できるようにした。さらに、有人機５０で取り消し対象の投票券が当該電子ジャーナルに存在することを判定するようにした。これにより、取り消し対象の投票券が自動機４０から発券されたものか否かを容易に、短時間かつ正確に判定できるようになる。また、購入金の計数を自動機４０に行わせているために、計数の誤りの発生を防止することが可能となる。また、自動機４０での返金時に、購入金を投票者の残高に加算して返金しているために、投票者に確実かつ容易に返金することが可能となる。
【０１３６】
なお、実施例１において、窓口６３に申し出た投票者に対して、実施例２〜４のように、投票者エリア６１の自動機４０，６４ａ〜６４ｃのいずれかで返金を行うことも可能である。例えば、実施例２の場合であれば、購入金を返金させるにあたり、窓口６３に近い自動機６４ｃを選択して、オペレータは、投票者に自動機６４ｃに移動するように促すと共に、オペレータも自動機６４ｃに移動して、自動機６４ｃから購入金を受領して、小窓６６ｄから投票者に購入金を返金するようにすることも可能である。実施例３，４のように自動機６４ｃに移動した投票者に直接返金することも可能である。
【０１３７】
また、実施例２〜４において、自動機４０に限らず、自動機６４ａ〜６４ｃのいずれかを指定して返金することも可能である。
したがって、このような公営競技情報処理システム１０であれば、自動機４０，６４ａ〜６４ｃの代替も可能となり、自動機の故障時、または、投票者の現在位置等に応じて柔軟に対応することが可能となる。
【０１３８】
［第３の実施の形態］
上記では、公営競技情報処理システム１０で行う、投票券の取り消し及び当該投票券の購入金の返金について説明した。
【０１３９】
一方、上記の公営競技情報処理システム１０を利用することで、投票者からの当たり投票券の払い戻し要求に応じて、オペレータによる当たり投票券に対応する配当金の支払いも実行することができる。
【０１４０】
図１５は、第３の実施の形態に係る公営競技取引装置（有人機）の機能を示すブロック図である。
有人機５０は、図７に示したものに対して新たに払い戻し制御部５３ａを設けたものである。なお、図１５では、払い戻し処理に利用する機能ブロックのみを記載しており、また、以下では既出の機能ブロックの説明を省略する。
【０１４１】
払い戻し制御部５３ａは、ホスト通信制御部５６を通じてホストコンピュータ２０で管理されているレース情報を取得し、また、入力情報受付部５２が入力部５２２で入力された払い戻し要求を受け付けて、投票券読取ユニット５５０で読み取った当たり投票券の発券情報を受け付ける。そして、ホストコンピュータ２０から取得したレース結果に基づき、当該当たり投票券に応じた配当金を算出する。なお、レース結果はホストから取得せず、ホストに配当金を問い合わせる方法としても良い。さらに、払い戻し制御部５３ａは、オペレータの設定に応じて、端末間通信制御部５４から当該配当金の払い戻し要求を有人機５０に通知する。
【０１４２】
次に、払い戻し制御部５３ａを新たに具備する有人機５０で実行される払い戻し処理について説明する。
図１６は、第３の実施の形態に係る公営競技情報処理システムの有人機で実行される払い戻しの処理手順を示すフローチャートである。
【０１４３】
［ステップＳ２１ａ］  入力情報受付部５２が、オペレータの入力部５２２に対する払い戻し処理開始の操作入力を受けて、投票券読取ユニット５５０が読み取った、当たり投票券の発券情報を受け付ける。
【０１４４】
［ステップＳ２２ａ］  払い戻し制御部５３ａは、ホストコンピュータ２０からホスト通信制御部５６に通知されたレース結果の情報に基づいて、入力情報受付部５２が受け付けた当該投票券に対応するレースの結果が出ているか否かを判定する。次の処理は、当該当たり投票券に対応するレースの結果が出ているのであればステップＳ２３ａに進められ、レースの結果が出ていなければ以降の処理が終了する。
【０１４５】
［ステップＳ２３ａ］  払い戻し制御部５３ａは、ホストコンピュータ２０からホスト通信制御部５６に通知された会場情報に基づいて、入力情報受付部５２が受け付けた当たり投票券が本会場で発券されたものであるか否かを判定する。次の処理は、本会場で発券されたものであればステップＳ２８ａに進められ、他の会場で発券されたものであれば以降の処理が終了する。
【０１４６】
なお、ステップＳ２２ａ，Ｓ２３ａは逆の順序で行っても構わない。また、ステップＳ２３ａの判定は行わなくても構わない。
［ステップＳ２８ａ］  払い戻し制御部５３は、表示制御部５７から表示部５２１に、当該当たり投票券の配当金の払い戻し方法を選択させる選択画面を表示させる。
【０１４７】
以下の処理は、ステップＳ２８ａの選択結果に応じて、第２の実施の形態と同様に実施例１〜３と同様の返金を利用して、配当金を投票者に対して払い戻すことができる。
このように、公営競技情報処理システム１０では、自動機４０及び有人機５０を通信可能にして当該投票券が当たっている場合に、有人機５０から払い戻し要求を自動機４０に通知することで、自動機４０に配当金を計数させて払い戻させることで、計数の誤りの発生を防止することが可能となる。
【０１４８】
なお、上記の処理機能は、コンピュータによって実現することができる。その場合、ホストコンピュータ２，２０、公営競技取引装置の自動機４，４０，６４ａ〜６４ｃ並びに有人機５，５０，６５ａ，６５ｂが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ／ＲＷ等がある。光磁気記録媒体には、ＭＯ（Magneto-Optical disk）等がある。
【０１４９】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１５０】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１５１】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【０１５２】
１，１０  公営競技情報処理システム
２，２０  ホストコンピュータ
３，３０  ネットワーク
４，４０，６４ａ〜６４ｃ  自動機
４ａ  発券履歴情報記録手段
４ｂ，５ｅ  ホスト通信制御手段
４ｃ  発券制御手段
４ｄ  発券手段
４ｅ，５ｆ  装置間通信制御手段
５，５０，６５ａ，６５ｂ  有人機
５ａ  発券履歴情報格納手段
５ｂ  入力情報受付手段
５ｃ  取り消し制御手段
５ｄ  判定手段
２１  発券履歴格納部
２２  通信制御部
２３  投票券管理制御部
２４  取り消し実行部
４１  電子ジャーナル記録部
４２，５２  入力情報受付部
４３  発券制御部
４４，５６  ホスト通信制御部
４５，５８  ユニット制御部
４６，５７  表示制御部
４７  電子ジャーナル管理制御部
４８，５４  端末間通信制御部
５１  電子ジャーナル格納部
５３  取り消し制御部
５３ａ  払い戻し制御部
５５  判定部
６０  投票会場
６１  投票者エリア
６２  オペレータエリア
６３  窓口
６６ａ〜６６ｄ  小窓
６７  有人機用資金管理机
６８  投票会場内資金管理机
２１０，４１０，５１０  制御ユニット
２１１，４１１，５１１  ＣＰＵ
２１２，４１２，５１２  ＲＡＭ
２１３  通信部
２１４，４１５，５１５  グラフィック処理部
２１５，４１６，５１６  ＨＤＤ
２１６，４１７，５１７  入出力制御部
２１７，４１８，５１８  バス
２２０，４２０，５２０  表示入力ユニット
２２１，４２１，５２１  表示部
２２２，４２２，５２２  入力部
４１３，５１３  ホスト通信部
４１４，５１４  端末間通信部
４３０，５３０  投票カード読取ユニット
４４０，５４０  投票券発券ユニット
４５０，５５０  投票券読取ユニット
４６０  現金処理ユニット
１４００，１５００  ユニット部
【図１】
0005405442.tif 000002
【図２】
0005405442.tif 000003
【図３】
0005405442.tif 000004
【図４】
0005405442.tif 000005
【図５】
0005405442.tif 000006
【図６】
0005405442.tif 000007
【図７】
0005405442.tif 000008
【図８】
0005405442.tif 000009
【図９】
0005405442.tif 000010
【図１０】
0005405442.tif 000011
【図１１】
0005405442.tif 000012
【図１２】
0005405442.tif 000013
【図１３】
0005405442.tif 000014
【図１４】
0005405442.tif 000015
【図１５】
0005405442.tif 000016
【図１６】
0005405442.tif 000017